(57)【特許請求の範囲】
【請求項１】
少なくとも１つの外部素子（３０）を備える時計ケースの中央部分（２０、２００）であって、前記外部素子は、弾性固定手段（７０）によって中央部分の固定領域に固定される中央部分において、前記中央部分はさらに、前記弾性固定手段の固定領域に開口する少なくとも１つの開口部（２６、２０６）を備え、これによって使用者は、前記弾性固定手段に働きかけて該弾性固定手段を変形させ、前記外部素子（３０）を前記中央部分から分離することができ、前記固定手段（７０）は、少なくとも２つのフック（８３）を備える雄部（７１）であって、該フックのうちの少なくとも１つは、柔軟であり、前記外部素子（３０）の一方の面に配置される雄部（７１）と、少なくとも１つの溝（２３、２０３）を備える前記中央部分（２０、２００）に配置される雌部（７２）とを備え、前記雄部は、少なくとも２つのフック（８３）が前記少なくとも１つの溝の中に挿入されて前記外部素子を前記中央部分に固定するように、前記雌部と弾力的に協働することと、前記少なくとも１つの開口部（２６、２０６）は、前記雌部の中に開口し、これによって使用者は、前記少なくとも１つの柔軟なフックに働きかけて前記外部素子を前記中央部分から分離できることとを特徴とする、中央部分（２０、２００）。
【請求項２】
前記中央部分（２０、２００）は、前記中央部分の中央軸（Ｃ）に垂直な水平壁（２２）を備え、前記中央部分に前記雌部（７２）が配置され、前記外部素子（３０）は、前記外部素子の面を介して前記水平壁（２２）に配置され、前記外部素子に雄部（７１）が配置されることを特徴とする、請求項１に記載の中央部分。
【請求項３】
前記中央部分（２０、２００）は、前記水平壁（２２）と前記中央部分の前記中央軸（Ｃ）に平行な垂直壁（２１）とで形成される肩部（２ａ）を備え、前記外部素子（３０）は、前記肩部に取り付けられることを特徴とする、請求項２に記載の中央部分。
【請求項４】
前記フック（８３）はそれぞれ、前記雄部が配置される前記外部素子（３０）の面から垂直に延びるストリップ（８６）を備え、前記ストリップの自由端は、前記ストリップに垂直に延びる水平突起（８７）を有することを特徴とする、請求項１に記載の中央部分。
【請求項５】
前記雄部（７１）は、円に沿って配置された複数のストリップ（８６）を備えることと、前記ストリップの少なくとも２つは、突起（８７）を備え、前記雌部（７２）は、前記ストリップを挿入する少なくとも１つの溝（２３、２０３）を備えることを特徴とする、請求項４に記載の中央部分。
【請求項６】
前記雄部（７１）は、突起（８７）を有する第１のストリップ（８８）および第２のストリップ（８９）を備え、前記第１のストリップおよび前記第２のストリップは、直径上に互いに正反対に対面し、前記第１のストリップ（８８）が第１の角度（α１）で円弧状に広がり、前記第２のストリップ（８９）が第２の角度（α２）で円弧状に広がるように配置され、前記第１の角度は、前記第２の角度よりも小さいことと、前記第１のストリップへ働きかけると前記外部素子（３０）が前記中央部分（２０、２００）から分離されることとを特徴とする、請求項４に記載の中央部分。
【請求項７】
前記雌部（７２）は、前記中央部分（２０）の前記水平壁（２２）から前記中央部分（２０）の前記中央軸（Ｃ）に平行な方向に延びるリム（２４）を備え、前記リムの自由端は、前記水平壁（２２）に平行に前記中央部分の前記中央軸（Ｃ）に向かって延びる第１の突起部（２５）を備え、前記第１の突起部（２５）は、前記溝（２３）を形成するスペース（２７）を規定し、前記溝の中に前記少なくとも１つの開口部（２６）が開口することを特徴とする、請求項２から６のうちいずれか一項に記載の中央部分。
【請求項８】
前記雌部（７２）は、前記溝（２０３）を形成するくぼみ（２０８）を備え、前記くぼみは、前記中央部分（２００）の前記水平壁（２０２）に垂直な内側面および外側面（２０４）を有し、前記外側面（２０４）は、前記水平壁（２０２）に平行に前記中央部分の前記中央軸（Ｃ）に向かって延びる第２の突起部（２０５）を有し、前記第２の突起部（２０５）は、中に前記雄部（７１）が挿入されるスペース（２０７）を規定し、前記少なくとも１つの開口部（２０６）は、前記スペース（２０７）の中に開口することを特徴とする、請求項２から６のうちいずれか一項に記載の中央部分。
【請求項９】
前記第１の角度（α１）は、約２０°にわたって広がり、前記第２の角度（α２）は、約１２０°にわたって広がることを特徴とする、請求項６に記載の中央部分。
【請求項１０】
前記中央部分（２０、２００）は、２つの開口部（２６、２０６）を備え、これによって使用者は、より効果的に前記雄部（７１）に働きかけて前記外部素子を前記中央部分から分離できることを特徴とする、請求項１から９のうちいずれか一項に記載の中央部分。
【請求項１１】
中央部分（２０、２００）を備える時計ケース（１０）であって、前記中央部分は、クリスタル（４０）およびバックカバー（６０）で閉鎖され、前記ケースは、さらに、ベゼル装置（８０、８００）を備える時計ケースにおいて、前記中央部分は、請求項１から１０のうちいずれか一項に記載の中央部分であることを特徴とする、時計ケース（１０）。
【請求項１２】
前記中央部分の前記外部素子（３０）は、前記ベゼル装置（８０、８００）であることを特徴とする、請求項１１に記載の時計ケース。
【請求項１３】
前記中央部分の前記外部素子（３０）は、前記バックカバー（６０）であることを特徴とする、請求項１１または１２に記載の時計ケース。
【請求項１４】
前記ベゼル装置（８０）は、前記固定手段（７０）の前記雄部（７１）を備えるベゼル（８２）であることを特徴とする、請求項１１または１２に記載の時計ケース。
【請求項１５】
前記ベゼル装置（８００）は、ベゼルリング（８０９）に固定した予備組立リング（８１２）を有し、前記予備組立リングは、前記固定手段の前記雄部を備え、前記ベゼル装置（８００）はさらに、バネ手段（８０１）および切り込み手段（８１１）を備えることを特徴とする、請求項１１または１２に記載の時計ケース。
【請求項１６】
請求項１１から１５のうちいずれか一項に記載の前記ケース（１０）を備える時計。
【発明の詳細な説明】
【技術分野】
【０００１】
本発明は、バックカバーおよびクリスタルで閉鎖した中央部分を備える時計に関し、該時計はさらに、中央部分に固定した回転ベゼル装置を備える。
【０００２】
本発明の技術分野は、精密機械の技術分野である。
【背景技術】
【０００３】
本発明は、時計のベゼルのような時計ケースの中央部分に対する外部素子に関する。
【０００４】
図１に見られる公知の回転ベゼル装置２のような外部素子は、環状部の形態をした回転ベゼル４を備える。この環状部は、上面および底面を有し、この上面は、使用者から見える面である。図２に見られるように、このベゼル８は、その底の表面に歯形部１０を有する。回転ベゼル装置はさらに、バネ手段１１を備える。このバネ手段１１は、回転ベゼルと時計１の中央部分３との間に挿入され、その際にベゼル４は、時計の中央部分の上に押し込んで取り付けられる。このバネ手段１１は、平坦なリング形状であり、その表面には、ベゼル８の歯形部に面する薄片を備える。これらの薄片は、平坦なリングの平面に対して傾斜して配置される。薄片は、バネ手段が回転ベゼルに作用して垂直力をかけるように、ある程度の弾性を備えている。この垂直力は、ベゼルを時計の中央部分の外へ押し出そうとするものである。
【０００５】
薄片は、ベゼルの歯形部と協働する役割も果たす。そのため、薄片および歯形部は、ベゼルが一方向のみに回転できるように構成されている。なぜなら、薄片は、使用者がベゼルを間違った方向に回そうとした場合に、ベゼルが回転するのを妨げるからである。一般に、ベゼルおよびバネ手段は、持続性があり安価であるという利点を有する鋼鉄でできている。
【０００６】
ベゼルは、腕時計ケースの中央部分２の上で駆動される。これを達成するため、中央部分は、周縁肩部２ａを有し、この肩部に回転ベゼル装置が設置される。肩部２ａは、中央部分の中央軸（Ｃ）に平行な壁２ｂおよび中央部分の中央軸に垂直な壁を有する。肩部の平行壁２ｂは、周縁溝２ｃを有する。ベゼル８は、このベゼルの底面に周縁リム８ａを有する環状部である。リムには、リムに沿ってベゼルの軸の中心へ向かって延びる連続的な付加物１２が備わっている。回転ベゼル装置が腕時計ケースの中央部分の上で駆動されると、連続的な付加物は、肩部の周縁溝の中に挿入され、ベゼルが中央部分の上で垂直に保持されるようにする。
【０００７】
この装置の１つの欠点は、分解できない点である。実際、先行技術のベゼルでは、回転ベゼル装置は、ケースの中央部分の上で駆動されるため、回転ベゼル装置を取り外そうとすればいかなる場合も、通常は装置を引っ張って外すことで達成する必要があり、これによってベゼルが破壊されてしまう。
【０００８】
当然ながら、これは、ベゼルがどのような材料でできているかによって異なる。中央部分の上で駆動されるプラスチック製のベゼルであれば、鋼鉄製のベゼルよりも取り外しやすいであろう。この傾向は、プラスチックは弾性特性を有する、つまり鋼鉄よりも変形しやすいという事実から生じるものであり、これは、鋼鉄製のベゼルよりもプラスチック製ベゼルの方が組み立てやすく分解しやすいということである。
【発明の概要】
【発明が解決しようとする課題】
【０００９】
本発明の目的は、組み立てやすく分解しやすい少なくとも１つの外部素子を有する中央部分を備えることを提供することによって、先行技術の欠点を克服することである。
【課題を解決するための手段】
【００１０】
したがって、本発明は、少なくとも１つの外部素子を備える時計ケースの中央部分であって、外部素子は、弾性固定手段によって中央部分の固定領域に固定される中央部分において、中央部分はさらに、弾性固定手段の固定領域に開口する少なくとも１つの開口部を備え、これによって使用者は、弾性固定手段に働きかけてこの弾性固定手段を変形させ、外部素子を中央部分から分離することができ、固定手段は、少なくとも２つのフックを備える雄部であって、このフックのうちの少なくとも１つは、柔軟であり、外部素子の一方の面に配置される雄部と、少なくとも１つの溝を備える中央部分に配置される雌部とを備え、雄部は、少なくとも２つのフックが少なくとも１つの溝の中に挿入されて外部素子を中央部分に固定するように、雌部と弾力的に協働することと、少なくとも１つの開口部は、雌部の中に開口し、これによって使用者は、少なくとも１つの柔軟なフックに働きかけて外部素子を中央部分から分離できることとを特徴とする、中央部分に関する。
【００１１】
本発明の第１の利点は、少なくとも１つの外部素子を備える中央部分を備え、この外部素子を中央部分から容易に分離できる点である。これはつまり、衝撃または損傷を受けた場合に容易に変更できる、またはメンテナンスを簡易にするために容易に取り外せる外部素子を有することが可能であるということである。
【００１２】
第２の実施形態では、中央部分は、中央部分の中央軸に垂直な水平壁を備え、この中央部分に雌部が配置され、外部素子は、外部素子の面を介して水平壁に配置され、外部素子に雄部が配置される。
【００１３】
第３の実施形態では、中央部分は、水平壁と中央部分の中央軸に平行な垂直壁とで形成される肩部を備え、外部素子は、肩部に取り付けられる。
【００１４】
第５の実施形態では、フックはそれぞれ、雄部が配置される外部素子の面から垂直に延びるストリップを備え、ストリップの自由端は、ストリップに垂直に延びる水平突起を有する。
【００１５】
第６の実施形態では、雄部は、円に沿って配置された複数のストリップを備え、ストリップの少なくとも２つは突起を備え、雌部は、ストリップを挿入する少なくとも１つの溝を備える。
【００１６】
もう１つの実施形態では、雄部は、突起を有する第１のストリップおよび第２のストリップを備え、第１のストリップおよび第２のストリップは、直径上に互いに正反対に対面し、第１のストリップが第１の角度で円弧状に広がり、第２のストリップが第２の角度で円弧状に広がるように配置され、第１の角度は、第２の角度よりも小さく、その結果、第１のストリップへ働きかけると外部素子が中央部分から分離される。
【００１７】
もう１つの実施形態では、中央部分は、中央部分の中央軸に平行な垂直壁および中央部分の中央軸に垂直な水平壁で形成される肩部を備え、この肩部に雌部が配置され、この雌部の中に外部素子が配置される。
【００１８】
もう１つの実施形態では、雌部は、中央部分の水平壁から中央部分の中央軸に平行な方向に延びるリムを備え、リムの自由端は、水平壁に平行に中央部分の中央軸に向かって延びる第１の突起部を備え、第１の突起部は、溝を形成するスペースを規定し、この溝の中に少なくとも１つの開口部が開口する。
【００１９】
もう１つの実施形態では、雌部は、溝を形成するくぼみを備え、くぼみは、中央部分の水平壁に垂直な内側面および外側面を有し、外側面は、水平壁に平行に中央部分の中央軸に向かって延びる第２の突起部を有し、第２の突起部は、中に雄部が挿入されるスペースを規定し、少なくとも１つの開口部は、スペースの中に開口する。
【００２０】
もう１つの実施形態では、第１の角度は、約２０°にわたって広がり、第２の角度は、約１２０°にわたって広がる。
【００２１】
もう１つの実施形態では、中央部分は、２つの開口部を備え、これによって使用者は、より効果的に雄部に働きかけて外部素子を中央部分から分離できる。
【００２２】
本発明は、中央部分を備える時計ケースであって、中央部分は、クリスタルおよびバックカバーで閉鎖され、ケースは、さらに、ベゼル装置を備える時計ケースにおいて、中央部分は、本発明による中央部分であることを特徴とする、時計ケースにも関する。
【００２３】
有利な実施形態では、中央部分の外部素子は、ベゼル装置である。
【００２４】
もう１つの有利な実施形態では、中央部分の外部素子は、バックカバーである。
【００２５】
もう１つの有利な実施形態では、ベゼル装置は、固定手段の雄部を備えるベゼルである。
【００２６】
もう１つの有利な実施形態では、ベゼル装置は、ベゼルリングに固定した予備組立リングを有し、予備組立リングは、固定手段の雄部を備え、ベゼル装置はさらに、バネ手段および切り込み手段を備える。
【００２７】
本発明は、本発明のケースを有する時計にも関する。
【図面の簡単な説明】
【００２８】
本発明による中央部分の目的、利点および特徴は、非限定的な例のみを目的として取り上げ、添付の図面に示した、本発明の少なくとも１つの実施形態についての以下の詳細説明からより明瞭に明らかになるであろう。
【００２９】
【図１】ベゼル装置を備える時計の断面図である。
【図２】先行技術のベゼル装置の概略図である。
【図３】本発明のベゼル装置の第１の実施形態の１つの代替例の概略図である。
【図４】本発明のベゼル装置の第１の実施形態のもう１つの代替例の概略図である。
【図５】本発明のベゼル装置の第１の実施形態の好適な変形例の概略底面図である。
【図６Ａ】本発明のベゼル装置の第１の実施形態の第２の変形例の概略図である。
【図６Ｂ】本発明のベゼル装置の第１の実施形態の第２の変形例の概略図である。
【図７】本発明のベゼル装置の第２の実施形態の概略図である。
【図８】本発明による中央部分からベゼルを分離するステップを示す概略図である。
【図９】本発明による中央部分からベゼルを分離するステップを示す概略図である。
【図１０】本発明による中央部分からベゼルを分離するステップを示す概略図である
【図１１】本発明による中央部分からベゼルを分離するステップを示す概略図である。
【図１２】本発明のベゼル装置の概略分解図である。
【発明を実施するための形態】
【００３０】
本発明は、分解しやすい時計の中央部分に対する外部素子を供給することからなる、全体的に進歩性のある構想から生まれたものである。
【００３１】
時計ケース１０は、バックカバー６０およびクリスタル４０で閉鎖した中央部分２０を備える。このケース１０はさらに、外部素子３０を備える。この外部素子３０は、中央部分の固定領域に固定される。この外部素子３０は、中央部分に固定されるベゼル装置８０とすることができる。このベゼル装置８０は、上面および底面を有する環状リングの形態である。中央部分２０は、肩部２ａを有し、この肩部にベゼルが設置される。この肩部２ａは、垂直壁２１、すなわち中央部分２０の中央軸（Ｃ）に平行な壁、水平壁２２、すなわち中央部分２０の中央軸（Ｃ）に垂直な壁を有する。環状部の上面は、使用者から見える面であり、底面は、反対側の面で、中央部分の水平壁２２である。ケース１０の分解図を図１２に示す。
【００３２】
有利には、図３に見られるベゼル装置８０は、中央部分２０から容易に取り外せるように中央部分２０に固定したベゼル８２である。これを達成するため、固定手段７０を中央部分２０および外部素子３０（ここではベゼル８２）に配置して、ベゼル装置８０の分解が可能で簡易になるようにする。
【００３３】
固定手段７０は、ベゼル８０に配置された雄部７１および中央部分２０に配置された雌部７２を有する。雄部７１は、ベゼル８２の好ましくは底面８４に配置される。この雄部７１は、底面８４から延びる、すなわち底面８４の平面に垂直な少なくとも２つのフック８３の形状である。フック８３は、ストリップ８６で形成され、このストリップは、垂直方向に、底面８４の平面に対して垂直に延び、このフックの自由端は、突起８７を備える。この突起８７は、水平方向、すなわち底面８４の平面に平行、またはストリップに垂直に外側に向かって延びる。これはつまり、突起８７は、ベゼル８２である環状部の中央軸から離れようとする方向に延びているということである。
【００３４】
雌部７２は、中央部分２０に配置され、この第１の実施形態では、溝２３、２０３の形態であり、この溝に、ベゼル８２のフック８３が挿入される。溝２３、２０３の数は、少なくともベゼル８２に配置したフック８３の数に等しい。この溝２３、２０３は、フック８３が完全に係合したときに、フック８３の突起８７によってベゼルが中央部分２０から分離するのを防ぐように配置される。ベゼル８２を固定するためには、少なくとも２つのフック８３が必要であることがわかる。
【００３５】
図３に見られる中央部分２０の雌部７０の第１の代替例では、フックは、肩部の水平壁２２に位置するリム２４の形態である。このリム２４は、肩部の水平壁２２に対して垂直に延び、周縁にある。この周縁リム２４は、内面および外面２４ａを有する。中央部分２０の中央軸（Ｃ）から最も遠い外面は、リム２４の自由端に、水平壁２２に平行な突起部２５を備える。この突起部２５は、突起部２５と肩部２ａの水平壁２２との間に開口スペース２７を形成する。このスペースは、フック８３の突起８７をこのスペースに挿入するために使用される。
【００３６】
図４に見られる中央部分２００の雌部７０の第２の代替例では、雌部７０は、肩部２ａの水平壁２０２に位置する溝２０３を形成するくぼみ２０３ａを備える。この溝２０３は、内側面および外側面２０４を有する。中央部分２０の中央軸（Ｃ）から最も遠い外側面２０４から突起部２０５が延び、突起部２０５と肩部２ａの水平壁２０２との間に開口スペース２０７を形成する。このスペース２０７は、フック８３が溝２０３の中に挿入されるときにフック８３の突起８７をこのスペースに挿入するために使用される。
【００３７】
組立過程で、ベゼル８２は、それぞれのフック８３が溝２３、２０３と対面して設置されるように肩部に設置される。ベゼル８２に圧力をかけてこのベゼルを中央部２０、２００に固定するとき、フック８３は、弾力によって変形して溝２３、２０３に入ろうとする。それぞれのフック８３の突起８７が、突起部２５、２０５と肩部の水平壁２２、２０２との間のスペース２７、２０７に対面すると、フック８３は休止状態に戻って、それぞれのフック８３の突起８７はスペース２７、２０７に入る。フック８３と、突起部２５、２０５と水平壁２２、２０２との間のスペースとが協働することで、軸沿いに保持される。使用者がベゼルを取り付ける場合、突起８７はロック面を提供し、このロック面が突起部２５、２０５と隣接してベゼル８２をロックする。そのため、ベゼルに位置する２つのフック８３に対して、中央部分２０、２００は、２つの溝２３、２０３を備え、フック８３および溝２３、２０３は、ベゼル８２が正しい位置になるように、すなわちベゼルにスクリーン印刷された時間が文字盤に対して正確な位置になるように配置される。
【００３８】
本発明によれば、外部素子３０、すなわちベゼル８２は、容易に分解できることが賢明である。これを達成するため、中央部分２０、２００は、固定領域、すなわち雌部に開口している少なくとも１つの開口部２６、２０６を備える。少なくとも１つの開口部２６、２０６は、突起部２５、２０５と肩部の水平壁２２、２０２との間にあるスペース２７、２０７の中に開口することがわかる。この開口部２６、２０６は、使用者が工具９０を中にスライドできるような寸法であり、この工具は、図８から図１１に見られるようなブレードまたはチップとすることができる。工具９０は、開口部２６、２０６の中に挿入されて、図８から図１１に見られるように、中央部分２０、２００に固定したベゼル８２を保持している突起８７に圧力をかけるようにする。そのため、使用者が工具９０を突起８７と接触するまで開口部２６、２０６の中をスライドさせると、使用者は、工具９０を介して突起８７に圧力をかけ、その結果、フック８３は変形し、フックの突起８７は、図１０に見られるように、突起２５、２０５と肩部の水平壁２２、２０２との間にスペース２７、２０７を残す。すると、使用者は、図１１に見られるように、ベゼルを持ち上げてどちらか一方のフック８３を溝２３、２０３から外せるようになる。すると、使用者は、ベゼル８３を操作して、もう一方のフック８３をこのフックが協働していた溝２３、２０３から解放できる。
【００３９】
中央部分２０、２００は、２つのチップのある工具９０を使用できるように、２つの開口部２６、２０６を備えることが好ましい。実際、フック８３の幅が広い場合、１つの先端だけで力をかけると、フック８３の圧力のかかった場所だけが変形するリスクがあることになる。このように、かかる力は、突起２５、２０５と肩部の水平壁２２、２０２との間のスペース２７、２０７から突起８７を解放させるには不十分になりがちである。２つのチップで構成した部分を設けると、工具によってかかる力は、突起８７およびそれに伴いフック８３によりよく分散されることになる。これはつまり、突起８７との接点が２つあり、それによってフック８３は、より効果的に弾力によって変形するということである。
【００４０】
この第１の実施形態の第１の変形例では、固定手段７０の雄部７１は、図５に見られるような仮想円８６ａ内に配置された複数のストリップ８６を備える。雄部７１は、いくつかのストリップ８６が、仮想円８６ａの中心から離れる方向に延びる突起８７を有するように配置される。中央部分２０、２００に位置する雌部７２は、溝２３、２０３の形態で、仮想円８６ａと同じ円を形成する。この溝２３、２０３は、係合装置の第１のバージョンまたは第２のバージョンの原理に従うように配置されてよい。そのため、ベゼル８２の雄部７１は、中央部分２０、２００の雌部７２と協働することができる。ベゼル８２は、中央部分２０、２００に対して特定の向きにすることなく組み立てられるため、この構成によって組立も簡易になる。この構成の利点は、ここではレールのように作用する溝に沿って雄部を移動させて、ベゼル８２を中央部分に対して回転させることができる点である。歯形手段およびバネ手段は、このように中央部分に配置されて、ベゼルの回転を制御する。
【００４１】
もう１つの利点は、雄部は、突起８７のないストリップ８６を有してもよいという点である。このようなストリップ８６は、半径方向の保持に使用される。
【００４２】
有利には、図５に見られるこの変形例は、雄部７１が突起８７を有する２つのストリップ８６を備えるように構成される。ストリップ８６は、直径方向に互いに正反対であることが好ましく、第１のストリップ８８は、約２０°の第１の角度α１で円弧状に広がり、第２のストリップ８９は、第１の角度よりも大きく約１２０°の角度α２で円弧状に広がる。この特定の構成によって、軸沿いの保持が改良される。実際に、ベゼル８２を中央部分２０、２００に軸沿いに保持することは、上記で説明したように、溝２３、２０３と協働するフック８３の突起８７によって達成される。両方のストリップ８６が小さな角度にわたって円弧状に広がっていれば、軸沿いに保持されるだろうが、ベゼル８２を強く引っ張るとベゼルが中央部分２０および２００から外れてベゼルが破損してしまうリスクがある。実際、引っ張り力は、面積の小さい領域に印加され、突起８７のあるストリップ８６に高い応力がもたらされるため、破損するリスクが大きくなる。提供した構成では、雄部７１のロック面積がより大きいため、軸沿いの保持が改良される。その結果、引っ張り過程でかかる応力は、面積が大きい方の領域で分散され、突起８７にはより少ない応力が印加される。
【００４３】
さらに、この構成は、小さな角度にわたって円弧状に広がる第１のストリップ８６が、使用者が操作してベゼル８２を中央部分２０、２００から解放するストリップとなるように実現される。実際、使用者がベゼル８２を中央部分２０、２００から解放したいと思うとき、使用者は、第１のストリップ８６を動かして、突起部２５、２０５と肩部の水平壁２２、２０２との間のスペース２７、２０７の中に開口する少なくとも１つの開口部２６、２０６に対面するように、ベゼル８２に働きかける。これによって、使用者は、自分の工具９０を使用して第１のストリップ８６に働きかけ、これによってベゼル８２を中央部分２０、２００から解放することができる。突起８７のある２つのストリップ８６が、直径上に互いに正反対に配置され、一方のストリップがもう一方のストリップよりも広い角度にわたって広がることによって、中央部分２０、２００に正確に保持される上に、中央部分から容易に分離されることができるベゼル８２を提供する。しかしながら、より広い角度にわたって広がるストリップは、ある一定の角度を超えてはならない。
【００４４】
この第１の実施形態の第２の変形例では、図６ａおよび図６ｂに見られるベゼル装置８００は、複数の素子で形成される。このように、ベゼル装置８００は、底面８１２ｂおよび上面８１２ａを有する予備組立リング８１２を備えることがわかる。バネ手段８１０、歯形手段８１１およびベゼルリング８０９は、予備組立リング８１２の上面８１２ａに配置される。ベゼルリング８０９は、使用者から見える部分である。バネ手段８１０および歯形手段８１１は、バネ手段８１０が円弧状に広がって中央部分２０、２００と一体化し、歯形手段８１１が円弧状に広がって予備組立リング８１２およびベゼルリング８０９と一体化するように配置される。バネ手段８１０は、円弧状に広がって予備組立リング８１２およびベゼルリング８０９と一体化し、歯形手段８１１が円弧状に広がって中央部分２０、２００と一体化してもよい。固定手段７０の雄部７１は、予備組立リング８１２の上面８１２ｂに配置される。この変形例は、中央部分２０、２００に固定できる、または単一部品として中央部分２０、２００から分離できる独立したモジュール形態のベゼル装置８００を提供するという利点を有する。
【００４５】
図７に見られる第２の実施形態では、外部素子３０は、中央部分２０００に固定されたバックカバー６０である。実際、取り外し可能なバックカバー６０を備えることは、機械式時計と電子式時計の両方に有益であろう。取り外し可能なバックカバー６０を備えるこの可能性によって、腕時計のムーブメントにアクセスしやすくなる。したがって、ムーブメントの管理、部品の取り換えまたは電池交換が容易になる。
【００４６】
中央部分２０００は、バックカバー６０を固定する底面を備える。中央部分２０００およびバックカバー６０は、美観上の理由から、実質的に同様の形状であることが好ましい。中央部分２０００の底面は、バックカバー６０に配置された雄部７１と協働するための固定手段７０の雌部７２を備える。
【００４７】
中央部分の底面は、第１の実施形態用に記載した肩部と同様の肩部を備えていてもよい。外部素子は、ここでは中央部分を閉鎖するカバーの形態である。第１の実施形態ならびにその変形例およびバージョンの特徴を、この第２の実施形態に適用してよい。
【００４８】
中央部分のバックカバーとして配置したこの外部素子のシーリングは、外部素子にシーリングガスケットを挿入することで改良できる。
【００４９】
添付の特許請求の範囲で規定した本発明の範囲を逸脱しないかぎり、当業者に自明の様々な代替および／または改良および／または組み合わせを上記の様々な本発明の実施形態に加えてよいことは明らかであろう。
【図１】
0005519061.tif 000002
【図２】
0005519061.tif 000003
【図３】
0005519061.tif 000004
【図４】
0005519061.tif 000005
【図５】
0005519061.tif 000006
【図６Ａ】
0005519061.tif 000007
【図６Ｂ】
0005519061.tif 000008
【図７】
0005519061.tif 000009
【図８】
0005519061.tif 000010
【図９】
0005519061.tif 000011
【図１０】
0005519061.tif 000012
【図１１】
0005519061.tif 000013
【図１２】
0005519061.tif 000014